(57)【要約】【課題】水舟に蓄えられた湿し水の温度の上昇を防止できる湿し水供給装置及び湿し水供給方法を提供する。【解決手段】湿し水Ｄを蓄える水舟２０と湿し水Ｄを冷却する冷却装置３１を有する水タンク３０とを備え、水タンク３０から水舟２０へ湿し水Ｄを供給する湿し水供給装置１０において、水タンク３０から水舟２０へ流入する湿し水Ｄの流入量、及び、水舟２０の内部から外部へ流出する湿し水Ｄの流出量の少なくとも一方を測定可能な流量測定部４３と、湿し水Ｄの流入量を調整可能な流入量調整部４２と、流量測定部４３の出力に応じて流入量調整部４２を制御し、流入量を予め設定された所定の範囲内に維持させる流入量制御部４１と、水舟２０内の湿し水Ｄの水位を所定の範囲内に維持させる流出量調整部５１とを備える構成とした。【選択図】図２
2007185873.tif 000002
【特許請求の範囲】
【請求項１】
湿し水を蓄える水舟と前記湿し水を冷却する冷却装置を有する水タンクとを備え、前記水タンクから前記水舟へ前記湿し水を供給する湿し水供給装置において、
前記水タンクから前記水舟へ流入する前記湿し水の流入量、及び、前記水舟の内部から外部へ流出する前記湿し水の流出量の少なくとも一方を測定可能な流量測定部と、
前記湿し水の流入量を調整可能な流入量調整部と、
前記流量測定部の出力に応じて前記流入量調整部を制御し、前記流入量を予め設定された所定の範囲内に維持させる流入量制御部と、
前記水舟内の前記湿し水の水位を所定の範囲内に維持させる流出量調整部とを備えること
を特徴とする湿し水供給装置。
【請求項２】
湿し水を冷却する冷却装置を備えた水タンクから前記湿し水を水舟へ供給する湿し水供給方法において、
前記水タンクから前記水舟へ流入する前記湿し水の流入量、及び、前記水舟の内部から外部に流出する前記湿し水の流出量の少なくとも一方を測定し、
前記測定の結果に応じて、前記湿し水の前記流入量を予め設定された所定の範囲内に維持されるように調整するとともに、
前記湿し水の前記流出量を前記水舟内の前記湿し水の水位が所定の範囲内に維持されるように調整すること
を特徴とする湿し水供給方法。
【請求項３】
湿し水を蓄える水舟と前記湿し水を冷却する冷却装置を有する水タンクとを備え、前記水タンクから前記水舟へ前記湿し水を供給する湿し水供給装置において、
前記水舟に蓄えられた前記湿し水の温度を測定する温度測定部と、
前記水タンクから前記水舟へ流入する前記湿し水の流入量を調整可能な流入量調整部と、
前記温度測定部の出力に応じて前記流入量調整部を制御する流入量制御部と、
前記水舟の内部から外部へ流出する前記湿し水の流出量を調整して前記水舟内の前記湿し水の水位を所定の範囲内に維持させる流出量調整部とを備えること
を特徴とする湿し水供給装置。
【請求項４】
請求項３に記載の湿し水供給装置において、
前記湿し水は、前記水舟の一方の端部側に設けられた流入部から他方の端部側に設けられた流出部に向けて流れ、
前記温度測定部は、前記湿し水の流路における離間した少なくとも２点の温度を測定し、
前記流入量制御部は、前記湿し水の温度差に応じて前記流入量を調整すること
を特徴とする湿し水供給装置。
【請求項５】
請求項３に記載の湿し水供給装置において、
前記流入量制御部は、前記湿し水の流入量を前記水舟内の水温と前記冷却装置の設定温度又は前記水舟に供給される前記湿し水の温度との温度差に応じて調整すること
を特徴とする湿し水供給装置。
【請求項６】
湿し水を冷却する冷却装置を備えた水タンクから前記湿し水を水舟へ供給する湿し水供給方法において、
前記水舟内の前記湿し水の温度を測定し、
前記測定の結果に応じて、前記水タンクから前記水舟へ流入する前記湿し水の流入量を調整するとともに、
前記水舟の内部から前記水舟の外部に流出する前記湿し水の流出量を、前記水舟内の前記湿し水の水位が所定の範囲内に維持されるように調整すること
を特徴とする湿し水供給方法。
【発明の詳細な説明】
【技術分野】
【０００１】
本発明は、湿し水を冷却する冷却装置を備えた水タンクから、この湿し水を蓄える水舟へ湿し水を供給する湿し水供給装置及び湿し水供給方法に関するものである。
【背景技術】
【０００２】
オフセット印刷において、印刷版の非画線部に供給される湿し水は、印刷中の印刷版やインキ等の印刷材料、印刷機自体の温度上昇を抑制する役割も果たす。このため、水舟に蓄えられる湿し水の温度は、例えば、１０℃程度にすることが望ましい。一方、印刷機は、ローラの回転等によって発生する熱によりその内部の温度が上昇するため、水舟内の湿し水の温度も上昇する。
ここで、湿し水を所定の温度に安定させるように水舟内に水温調整装置を設置したものが知られている（例えば、特許文献１参照）。しかし、この従来の水舟は、水温調整を効率的に行うために水舟内の広範囲にわたって水温調節装置を配置する必要があり、水舟の構造が複雑になるとともに清掃作業が困難になるという問題があった。
【０００３】
また、湿し水を冷却する冷却装置を備えた水タンクを設け、この水タンクと水舟との間で湿し水を循環させる湿し水供給装置を備えた印刷機が知られている。この場合、水舟の構成は、簡単であり、かつ、水舟内の水温を所定の範囲内に安定させることが容易である。
この湿し水供給装置において、水舟の水位の調整は、従来、作業者の手作業によって行われていたが、作業者は、湿し水が足りなくなったり湿し水が水舟から溢れたりすることを防止するため、流入量又は流出量を抑制して水舟の水位を調整する傾向があった。具体的には、例えば、水舟の水位が低下した場合には、水タンクへの流出量を抑制し、水位が上昇した場合には、水舟への流入量を抑制するといった操作が行われていた。
しかし、前者のように流出量を抑制すると、水舟内に湿し水が停滞するので湿し水の水舟内の水温が上昇する。また、後者のように流入量を抑制すると、冷却された水の供給が減るため水舟内の水温が上昇する。
【０００４】
【特許文献１】実開昭６２−１０４９３６号公報
【発明の開示】
【発明が解決しようとする課題】
【０００５】
本発明の課題は、水舟に蓄えられた湿し水の温度の上昇を防止できる湿し水供給装置及び湿し水供給方法を提供することである。
【課題を解決するための手段】
【０００６】
本発明は、以下のような解決手段により、前記課題を解決する。
請求項１の発明は、湿し水を蓄える水舟と前記湿し水を冷却する冷却装置を有する水タンクとを備え、前記水タンクから前記水舟へ前記湿し水を供給する湿し水供給装置において、前記水タンクから前記水舟へ流入する前記湿し水の流入量、及び、前記水舟の内部から外部へ流出する前記湿し水の流出量の少なくとも一方を測定可能な流量測定部と、前記湿し水の流入量を調整可能な流入量調整部と、前記流量測定部の出力に応じて前記流入量調整部を制御し、前記流入量を予め設定された所定の範囲内に維持させる流入量制御部と、前記水舟内の前記湿し水の水位を所定の範囲内に維持させる流出量調整部とを備えることを特徴とする湿し水供給装置である。
請求項２の発明は、湿し水を冷却する冷却装置を備えた水タンクから前記湿し水を水舟へ供給する湿し水供給方法において、前記水タンクから前記水舟へ流入する前記湿し水の流入量、及び、前記水舟の内部から外部に流出する前記湿し水の流出量の少なくとも一方を測定し、前記測定の結果に応じて、前記湿し水の前記流入量を予め設定された所定の範囲内に維持されるように調整するとともに、前記湿し水の前記流出量を前記水舟内の前記湿し水の水位が所定の範囲内に維持されるように調整することを特徴とする湿し水供給方法である。
【０００７】
請求項３の発明は、湿し水を蓄える水舟と前記湿し水を冷却する冷却装置を有する水タンクとを備え、前記水タンクから前記水舟へ前記湿し水を供給する湿し水供給装置において、前記水舟に蓄えられた前記湿し水の温度を測定する温度測定部と、前記水タンクから前記水舟へ流入する前記湿し水の流入量を調整可能な流入量調整部と、前記温度測定部の出力に応じて前記流入量調整部を制御する流入量制御部と、前記水舟の内部から外部へ流出する前記湿し水の流出量を調整して前記水舟内の前記湿し水の水位を所定の範囲内に維持させる流出量調整部とを備えることを特徴とする湿し水供給装置である。
請求項４の発明は、請求項３に記載の湿し水供給装置において、前記湿し水は、前記水舟の一方の端部側に設けられた流入部から他方の端部側に設けられた流出部に向けて流れ、前記温度測定部は、前記湿し水の流路における離間した少なくとも２点の温度を測定し、前記流入量制御部は、前記湿し水の温度差に応じて前記流入量を調整することを特徴とする湿し水供給装置である。
請求項５の発明は、請求項３に記載の湿し水供給装置において、前記流入量制御部は、前記湿し水の流入量を前記水舟内の水温と前記冷却装置の設定温度又は前記水舟に供給される前記湿し水の温度との温度差に応じて調整することを特徴とする湿し水供給装置である。
請求項６の発明は、湿し水を冷却する冷却装置を備えた水タンクから前記湿し水を水舟へ供給する湿し水供給方法において、前記水舟内の前記湿し水の温度を測定し、前記測定の結果に応じて、前記水タンクから前記水舟へ流入する前記湿し水の流入量を調整するとともに、前記水舟の内部から前記水舟の外部に流出する前記湿し水の流出量を、前記水舟内の前記湿し水の水位が所定の範囲内に維持されるように調整することを特徴とする湿し水供給方法である。
【発明の効果】
【０００８】
以上説明したように、本発明によれば、以下のような効果を得ることができる。
（１）湿し水の水舟への流入量及び／又は水舟からの流出量を測定し、この測定結果に応じて流入量が予め設定された所定の範囲内となるように調整するから、水タンクにおいて冷却された湿し水が常に所定の流量以上水舟に供給され、水舟内の湿し水の温度上昇を防止できる。また、流出量調整部が、水舟内の湿し水の水位を所定の範囲内で維持するから、流入量を調整しても水舟内の湿し水が足りなくなったり、水舟から湿し水が溢れたりすることも防止される。
（２）水舟に蓄えられた湿し水の温度の測定結果に応じて湿し水の流入量を調整するから、水タンクにおいて冷却された湿し水が、水舟内の湿し水の温度に応じた量に調整されて水舟に供給される。したがって、水舟内の湿し水の温度上昇を防止できる。また、流出量調整部が水舟内の湿し水の水位を所定の範囲内に維持するから、湿し水の流入量を調整しても水舟内の湿し水が足りなくなったり、水舟から湿し水が溢れたりすることが防止される。
【０００９】
（３）水舟内の湿し水の流れ方向に離間した２箇所以上の場所の温度を測定して、温度差が検出された場合、すなわち、十分な量の湿し水が供給されず湿し水の流れが滞り、水舟内の下流側の温度が高くなった場合に、湿し水の供給量を調整するから、水舟内の湿し水の上流側と下流側との温度差を小さくできる。
（４）水舟内の湿し水と、水舟に供給される湿し水の温度又は冷却装置の設定温度とを比較して、これらの間に温度差が検出された場合、すなわち、水舟内の湿し水の温度が高い場合に湿し水の流入量を調整するから、これらの間の湿し水の温度差を小さくすることができる。
【発明を実施するための最良の形態】
【００１０】
本発明は、水舟に蓄えられた湿し水の温度の上昇を防止できる湿し水供給装置及び湿し水供給方法を提供するという目的を、水タンクから水舟へ供給される湿し水の流入量を測定するとともに、この測定結果に応じて、湿し水の流入量を予め設定された所定の範囲内に調整することによって実現する。また、水舟内の上流、下流側の２点間の温度差を測定し、この測定結果に応じて湿し水の流入量を調整することによって実現する。
【実施例１】
【００１１】
以下、図面等を参照して、本発明の湿し水供給装置及び湿し水供給方法の実施例１をあげて、さらに詳しく説明する。
図１は、実施例１の湿し水供給装置を備えた印刷部の構成を示す側面図である。図２は、図１の湿し水供給装置の構成を示す斜視図である。
実施例１の湿し水供給装置は、湿し水を蓄える水舟と、この湿し水を冷却する冷却装置を有する水タンクとを備え、これらの間において湿し水を循環させるものである。
【００１２】
印刷部１は、オフセット輪転機の一部を構成するものであり、例えば、４色刷り印刷に対応して１台の印刷機に対して４つ設けられている。印刷機は、印刷部１以外にも、ウエブＷを印刷部１に供給するインフィーダ部、ウエブＷのインキを乾燥させる乾燥部、ウエブＷを冷却する冷却部、ウエブＷを折丁に形成する折部等を備えている（図示省略）。
印刷部１は、印刷機において印刷版Ｐに形成された画像をウエブＷに転写（印刷）する部分であり、ウエブＷを挟んで上下方向に対称に１対の版胴２、ブランケット胴３、インキ供給ローラ群４、湿し水供給ローラ群５を備えている（ウエブＷより下側のものは、図示を省略する）。なお、４つの印刷部１の構成は、同じであるため、以下、これらのうちのひとつについてのみ説明する。
【００１３】
版胴２は、円筒形状に形成され、その外周面に印刷版Ｐを巻き付けて保持するようになっている。
ブランケット胴３は、版胴２とウエブＷとの間に配置され、円筒形状に形成されるとともに、外周面にゴムブランケットが巻き付けられている。このブランケット胴３は、版胴２が保持する印刷版Ｐに形成された画像がゴムブランケットに転写されるとともに、この転写された画像をウエブＷに転写（印刷）するものである。
【００１４】
インキ供給ローラ群４は、版胴２に対してブランケット胴３とは反対側に設けられ、図示しないインキつぼからインキを版胴２（印刷版Ｐ）に供給するものであり、複数の練りローラ、揺動ローラ等により構成され、粘性を有するインキを版胴２（印刷版Ｐ）に均一の膜厚で供給できるようになっている。
湿し水供給ローラ群５は、後述する水舟２０に蓄えられた湿し水Ｄを印刷版Ｐに供給するものである。
【００１５】
ここで、印刷機は、湿し水供給装置１０を備えている。
湿し水供給装置１０は、図２に示すように水舟２０、水タンク３０、流入側配管４０、流入側制御部４１、流出側配管５０、流出側制御部５１を備えており、水舟２０と水タンク３０との間において流入側配管４０、流出側配管５０を介して湿し水Ｄを循環させるようになっている。
水舟２０は、印刷部１に備えられている。この水舟２０は、上部が開放した箱状に形成され、その内部に湿し水Ｄを蓄えるようになっており、上述の湿し水供給ローラ群５の一部が収容されている。この湿し水Ｄは、印刷版Ｐの非画線部に対するインキの付着を防止するために印刷版Ｐの版面を湿らせるとともに、印刷部１の内部を冷却する機能も果たす。この湿し水Ｄの成分は、特に限定されないが、例えば、アルコールを含んだ公知の湿し水が使用されている。
【００１６】
水舟２０は、水位計２１を備えている。水位計２１は、水舟２０内の湿し水Ｄの水位を測定するものであり、例えば、電気抵抗値の変化によって、又は、圧力によって水位を測定し、この測定水位を電気信号に変換して出力可能になっている。
水タンク３０は、湿し水Ｄを冷却する冷却装置３１を備え（図１参照）、内部に蓄えている湿し水Ｄの温度を、例えば、１０℃に冷却、維持することができるようになっている。
また、水タンク３０は、給水ポンプ３２を備えており、流入側配管４０を介して湿し水Ｄを水舟２０に供給するようになっている。この水舟２０に供給された湿し水Ｄは、流出側配管５０を介して水タンク３０へ戻される。水タンク３０は、水舟２０より低い位置に設置されており、湿し水Ｄは、重力によって水舟２０から水タンク３０へ戻される。
【００１７】
流入側配管４０は、水タンク３０から水舟２０に供給される湿し水Ｄが流れる配管であり、水舟２０と水タンク３０との間にわたして設けられている。また、この流入側配管４０の途中には、流入側電動バルブ４２、流量計４３が、上流側から下流側へ向けてこの順に設けられている。
流入側電動バルブ４２は、流入側配管４０内を流れる湿し水Ｄの流量を調整可能な流量調整部であって、開閉制御が電気的な信号が入力され電動モータが駆動されることによって行われるものである。この電動バルブの種類は、特に限定されず、例えば、ボールタイプでもゲートタイプでもよい。
流量計４３は、流入側配管４０内を流れる湿し水Ｄの流量を測定する流量測定部であり、測定流量を電気信号に変換して出力できるようになっている。この流量計４３の種類（測定方法）は、特に限定されず、例えば、オーバル式、ベンチュリ式、オリフィス式の流量計等が使用可能である。
【００１８】
流入側制御部４１は、流入側電動バルブ４２及び流量計４３に電気的に接続され、流量計４３の出力に応じて流入側電動バルブ４２に対して信号を発信して流入側電動バルブ４２の開閉制御を行い、流入側配管４０を流れる湿し水Ｄの流量を所定の流量（流入量）に調整するようになっている。
また、流入側制御部４１は、流入側電動バルブ４２の開閉制御の履歴を保持するようになっており、一定時間内に開制御又は閉制御が繰り返し行われた場合に、これを異常と判断して、例えば、警告音等の警報信号を出力するようになっている。
【００１９】
流入側配管４０を流れる湿し水Ｄは、その流入量が予め設定された範囲内となるように流入側制御部４１により制御される。
この流入量は、例えば、印刷等によって印刷部１が発熱した場合であっても、この発熱の影響による水舟２０内の湿し水Ｄの温度上昇を抑制できる程度の流量を予め測定し、この流量が最低流量として設定される。一方、流入量の上限は、後述する流出側電動バルブ５２を全開にした状態で湿し水Ｄを循環させたときに、湿し水Ｄが水舟２０から溢れないような流量を予め測定して決定される。流入側制御部４１は、上述の最低流量以上の湿し水Ｄを水舟２０に常時供給させるように流入側電動バルブ４２を制御するようになっている。
【００２０】
流出側配管５０は、水舟２０から水タンク３０に流出する湿し水Ｄが流れる配管であり、水舟２０と水タンク３０との間にわたして設けられている。また、この流出側配管５０の途中には、流出側電動バルブ５２が設けられている。
流出側電動バルブ５２は、流入側配管４０に備えられた流入側電動バルブ４２と同様の構成の電動バルブである。
流出側制御部５１は、水位計２１及び流出側電動バルブ５２に電気的に接続されており、水位計２１の出力に応じて水舟２０内の湿し水Ｄの水位が予め設定された範囲内となるように流出側電動バルブ５２の開閉制御を行い、流出側配管５０を流れる湿し水Ｄの流量（流出量）を調整する流出量調整部である。
水位の上限は、水舟から湿し水Ｄが溢れないように設定され、下限は、湿し水供給ローラ群５と湿し水Ｄとの接触を維持できるような最低限の水位に設定されている。
また、流出側制御部５１も、流入側制御部４１と同様に、流出側電動バルブ５２の開閉制御の履歴を保持して、異常時に警報信号を出力するようになっている。
【００２１】
次に、実施例１の湿し水供給方法を説明する。
図３は、実施例１の湿し水供給方法を示すフローチャートであり、（ａ）は流入側制御部の動作を示し、（ｂ）は、流出側制御部の動作を示す。
以下、流入側制御部の動作をステップ毎に説明する。
（ステップＳ１：流入量計測）
水タンク３０において冷却された湿し水Ｄは、給水ポンプ３２によって水舟２０に供給される。このときの水舟２０への湿し水Ｄの流入量は、水タンク３０の外部の温度等の環境や給水ポンプ３２の吐出圧によって変化し、この流入量の変化は、流量計４３によって測定される。
上述のように、湿し水Ｄの流入量は、予め上限及び下限が設定されており、流入側制御部４１は、流量計４３の出力に応じて流入量がこの範囲内に収まっているか否かを判別し、流入量が設定範囲より多い場合、又は、少ない場合には、それぞれ流入側電動バルブ４２を閉じ制御、又は、開制御することによって流量の調整を行う。
【００２２】
（ステップＳ２：電動バルブ閉）
流入量が設定範囲の上限より多い場合、流入側制御部４１は、流入側電動バルブ４２を閉じる制御を行い、湿し水の流入量を減少させる。
（ステップＳ３：閉制御カウント）
流入側制御部４１は、流入側電動バルブ４２に信号を発信した度にその出力信号をカウントする。
（ステップＳ４：電動バルブ開）
流入量が設定範囲の下限より少ない場合、流入側制御部４１は、流入側電動バルブ４２を開ける制御を行い、湿し水の流入量を増加させる。
（ステップＳ５：開制御カウント）
流入側制御部４１は、ステップ３と同様に流出側電動バルブ５２に信号を発信した度にカウントする。
【００２３】
次に、流出側制御部５１の動作を説明する。
（ステップＳ６：水位計測）
流出側制御部５１は、水位計２１の出力に応じて、水舟２０内の湿し水Ｄの水位を測定し、流出側電動バルブ５２を制御することによって、水舟２０内の水位の調整を行う。
（ステップＳ７：流出バルブ開）
流出側制御部５１は、水位が上限より高い場合、流入側電動バルブ４２を開制御し、流入量制御部４１と同様に、この制御信号をスッテプ３と同様にカウントする（ステップＳ８）。
（ステップＳ９：流出バルブ閉）
流出量制御部５１は、水位が下限より低い場合、流出側電動バルブ５２を閉制御し、同様に、この制御信号をカウントする（ステップＳ１０）。
【００２４】
以上説明したように、実施例１の湿し水供給装置及び湿し水供給方法によれば、以下の効果を奏することができる。
（１）水舟２０への湿し水Ｄの流入量が一定範囲内となるように流入側電動バルブ４２を制御する流入側制御部４１を設けたから、水舟２０には、水タンク３０において冷却された湿し水Ｄが常時一定量以上供給される。したがって、水舟２０内の湿し水Ｄの温度上昇が防止される。
（２）水位が所定より高い場合に、流出側電動バルブ５２を開制御するから、湿し水Ｄの循環流量が一定量以上に維持され、水舟２０に湿し水Ｄが停滞して湿し水Ｄの温度が上昇することを防止できる。
（３）流入側制御部４１、流出側制御部５１が流入側電動バルブ４２、流出側電動バルブ５２の動作異常を検出し警報信号を出力するから、例えば、給水ポンプ３２が故障して水タンク３０内の湿し水Ｄが枯渇した場合（流入側電動バルブ４２の開制御が連続する）等の異常に対して迅速な対処が可能となる。
【実施例２】
【００２５】
次に本発明の湿し水供給装置及び湿し水供給方法の実施例２を説明する。
なお、前述した実施例１と同様な機能を果たす部分には、同一の符号又は末尾に統一した符号を付して、重複する説明や図面を適宜省略する。
実施例２の湿し水供給装置及び湿し水供給方法は、水温計２２ａ、２２ｂによって水舟２０内の湿し水Ｄの温度を測定し、この水温に応じて流入側電動バルブ４２を開閉制御して流入量を調整し、これによって水舟２０内の湿し水Ｄの温度上昇を防止するものである。
図４は、実施例２の湿し水供給装置を示す斜視図である。
【００２６】
実施例２の湿し水供給装置６０は、実施例１と同様に水舟２０、水タンク３０を備え、これらの間にわたして設けられた流入側配管７０、流出側配管５０を介して湿し水Ｄを循環させるものである。
実施例２の流入側配管７０は、実施例１と異なり流量計を備えず、湿し水Ｄの流入量の調整は、水舟２０に配置された一対の水温計２２ａ、２２ｂの出力に応じて、流入側制御部７１が流入側電動バルブ４２を開閉制御して行うようになっている。これらの水温計２２ａ、２２ｂは、例えば、熱電対又はサーミスタ等を備え、計測温度を電気信号に変換して出力できるものである。
水舟２０において、流入側配管４０の吐出口及び流出側配管５０の吸入口は、水舟２０の両端部にそれぞれ配置されており、水温計２２ａ、２２ｂは、それぞれ吐出口（上流側）、吸入口（下流側）に対応して配置されている。
【００２７】
以下、実施例２の湿し水供給方法を説明する。
図５は、実施例２の湿し水供給方法を示すフローチャートであって、流入側制御部の動作を示すものである。
以下、流入側制御部７１の動作をステップ毎に説明する
（ステップＳ１１：温度差測定）
例えば、湿し水Ｄの循環流量が十分でない場合、湿し水Ｄが水舟内に停滞するので、下流側の温度が高くなることによって、水舟２０内において上流側と下流側との間に湿し水Ｄの温度差が発生する。
流入側制御部７１は、水温計２２ａ、２２ｂの出力に応じて、温度差を測定する。
【００２８】
（ステップＳ１２：流入バルブ開）
流入量制御部７１は、例えば、下流側の温度が上流側の温度に比べ異常に高くなった場合等、予め設定された温度差より大きい温度差が検出された場合に流入側バルブ４２を開制御して冷却された湿し水Ｄの流入量を増加させる。このとき、流入側制御部７１は、温度差の大小に応じて流入量を増減させて、流入量を適切な量に調整する。
また、流出側制御部７１は、流入側電動バルブ４２を開制御した場合は、実施例１のステップ３と同様この制御信号の出力をカウントする（ステップＳ１３）。
（ステップＳ１４：流入バルブ閉）
一方、湿し水Ｄの循環流量が十分な量まで達して、温度差が無視できる程度まで小さくなった場合は、流入側制御７１は、流入側電動バルブ４２を閉制御して湿し水Ｄの流入量を減少させる。
一方、湿し水Ｄの流出量の調整は、実施例１と同様に行われ、流出側制御部５１が水位計２１の出力に応じて流出側電動バルブ５２を制御して水舟２０内の湿し水Ｄの水位を調整する（図３（ｂ）参照）。
【００２９】
実施例２の湿し水供循環置及び湿し水供給方法によれば、水温計２２ａ、２２ｂが水舟内の上流側及び下流側の湿し水の温度をそれぞれ計測し、この測定結果に応じて流入側制御部７１が冷却された湿し水Ｄの流量を増加させるから、湿し水Ｄの循環量が増えて、水舟２０内の湿し水Ｄの温度差を小さくすることができる。したがって、印刷版Ｐに供給される湿し水Ｄの温度が、場所によって異なったものとなることを防止できる。
また、水温計２２ａ、２２ｂを水舟２０内の湿し水Ｄの流れ方向の両端部（上流側、下流側の２箇所）、すなわち、最も温度差が生じやすいと予想される位置に設けたから、水舟２０内の湿し水Ｄの温度差を的確に把握することができる。
【００３０】
（変形例）
以上説明した実施例に限定されることなく、種々の変形や変更が可能であって、それらも本発明の均等の範囲内である。
（１）実施例１において、湿し水の流量の測定は、流入側配管において行っていたが、これに限らず、流出側配管に流量計を設け、この流量計の出力に応じて流入量を調整してもよい。
（２）実施例１において、流入側配管を流れる湿し水の流量を流量計によって計測していたが、これに限らず、例えば、流入側配管又は水舟内に流速計を設け、流速に応じて流入量を調整しても良い。水舟、配管の断面積は一定であるから、流速の変化を計測することによって、間接的に流量が測定できる。この場合、予め設定された流量の上限、下限に対応した流速の上限、下限を設定しておき、流速がこの範囲内にない場合に、流入側電動バルブを制御して流速（流入量）を調整する。
（３）実施例２において、温度計は、水舟内に一対設けられていたが、これに限らず、例えば、水舟に設けられる温度計をひとつにし、水タンク内の温度（実測温度でも設定温度でもよい）と比較して、この結果（水温の高低）に応じて、流入量を調整してもよい。
（４）実施例２は、水舟内の湿し水の温度差に基づいて流入量を増減させていたが、流入量の調整方法は、これに限らない。例えば、水舟内の温度又は温度差に応じて予め流入量を設定しておいてもよく、例えば、水舟の１箇所において湿し水の水温を測定し、この温度に対応する流入量の湿し水を供給してもよい。
（５）実施例１及び実施例２において、流入側、流出側の制御部は、独立して設けられていたが、１台のコンピュータ装置等に兼用させてもよい。
（６）実施例１及び実施例２は、電動バルブによって流量の調整を行っていたが、これに限らず、流量の調整が可能なものであれば、例えば、電磁弁等でもよい。この場合、この電磁弁は、制御部からの制御信号に応じて開度、閉度がそれぞれ自在に変更できるものを使用する。
（７）実施例１及び実施例２は、流入側制御部、流出側制御部が流入量、流出量をそれぞれ自動的に調整していたが、これに限らず、印刷機のオペレータが、流量計、温度計、水舟の水位を目視によって確認し、これに応じて、流入、流出側電動バルブをそれぞれ手動操作して流入量、流出量を調整してもよい。
【図面の簡単な説明】
【００３１】
【図１】実施例１の湿し水供給装置を備えた印刷部の構成を示す側面図である。
【図２】図１の湿し水供給装置の構成を示す斜視図である。
【図３】実施例１の湿し水供給方法を示すフローチャートである。
【図４】実施例２湿し水供給装置の構成を示す斜視図である。
【図５】実施例２の湿し水供給方法を示すフローチャートである。
【符号の説明】
【００３２】
１  印刷部
１０  湿し水供給装置
２０  水舟
２１  水位計
３０  水タンク
３１  冷却装置
４０  流入側配管
４１  流入側制御部
４２  流入側電動バルブ
４３  流量計
５０  流出側配管
５１  流出側制御部
５２  流出側電動バルブ
Ｄ  湿し水
【図１】
2007185873.tif 000003
【図２】
2007185873.tif 000004
【図３】
2007185873.tif 000005
【図４】
2007185873.tif 000006
【図５】
2007185873.tif 000007